(57)【要約】【課題】新型錠と旧型錠が併存するとき単一の兼用鍵で新型錠と旧型錠を解錠操作可能とし、鍵の携行管理を簡略化する。【解決手段】併存する新型錠と旧型錠のいずれの回転内筒の鍵孔にも挿入可能な横断面を具備しており、一つの側面に旧型錠の内部錠機構を駆動する旧型錠用キーコード部を配置してあり、別の一つの側面に新型錠の内部錠機構を駆動する新型錠用キーコード部を配置してあり、該新型錠用キーコード部を形成した可動体は、新型錠の鍵孔に挿入されるとき、新型錠用キーコード部の形成部分が前記側面から突出した位置に保持され、旧型錠の鍵孔に挿入されるとき、全体が前記側面より横断面内に退没させられるようにした鍵。【選択図】図１
2006046008.tif 000002
【特許請求の範囲】
【請求項１】
併存する新型錠と旧型錠のいずれの回転内筒の鍵孔にも挿入可能な横断面を具備しており、一つの側面に旧型錠の内部錠機構を駆動する旧型錠用キーコード部を配置してあり、別の一つの側面に新型錠の内部錠機構を駆動する新型錠用キーコード部を配置してあり、該新型錠用キーコード部を形成した可動体は、新型錠の鍵孔に挿入されるとき、新型錠用キーコード部の形成部分が前記側面から突出した位置に保持され、旧型錠の鍵孔に挿入されるとき、全体が前記側面より横断面内に退没させられる、新型錠と旧型錠に兼用される鍵。
【発明の詳細な説明】
【技術分野】
【０００１】
本発明は、新型錠と旧型錠が併存する機器群の管理システム等において、単一の鍵によって新型錠と旧型錠を解錠操作できるようにした鍵の構造に関するものである。
【背景技術】
【０００２】
管理対象の機器群が非常に多数個存在している管理システムにおいて、管理主体側の予算措置の関係上、全部の機器に装着されている管理用錠を一気に更新できない場合には、ある一定期間は旧型錠と新型錠が併存することになる。
このようなケースでは、機器の保守管理のために作業員を現場に派遣するに際して、管理責任者は派遣現場に設置されている機器の管理用錠が新型錠であるか旧型錠であるかを事前に慎重に確認する必要があり、作業手順が煩雑である。
【０００３】
本発明は新型錠と旧型錠のいずれにも適用できる兼用型の鍵を提案するものであるが、従来の鍵に関する技術開発は、キーコードの形成加工部分の形状を特殊なものに選定したり、ピッキング用具に対する邪魔部材を追加することによって、防犯性能を高めることに専ら関心が注がれており（例えば特許文献１、２参照）、兼用型鍵の開発を直接の対象とするものについては知らない。
【０００４】
【特許文献１】特許第３４３５１３８号公報
【特許文献２】特許第３３８０４９６号公報この問題を解決するために（特許文献２参照）。
【発明の開示】
【発明が解決しようとする課題】
【０００５】
本発明の課題は、特別の付加操作を必要とすることなく、旧型錠と新型錠の双方に適用できる兼用型の鍵を提供することである。
【課題を解決するための手段】
【０００６】
本発明の主たる特徴は、併存する新型錠と旧型錠のいずれの回転内筒の鍵孔にも挿入可能な横断面を具備しており、一つの側面に旧型錠の内部錠機構を駆動する旧型錠用キーコード部を配置してあり、別の一つの側面に新型錠の内部錠機構を駆動する新型錠用キーコード部を配置してあり、該新型錠用キーコード部を形成した可動体は、新型錠の鍵孔に挿入されるとき、新型錠用キーコード部の形成部分が前記側面から突出した位置に保持され、旧型錠の鍵孔に挿入されるとき、全体が前記側面より横断面内に退没させられることである。
【発明の効果】
【０００７】
本発明では、鍵の横断面は新型錠と旧型錠のいずれの鍵孔にも挿入可能に設定されており、鍵の一つの側面に旧型錠用キーコード部を配置する一方、鍵の別の一つの側面に新型錠用キーコード部を配置してあり、この新型錠用キーコード部を形成した可動体が当該側面から出没可能に配備されている。すなわち、鍵が新型錠の鍵孔に挿入されるときには、新型錠用キーコード部の形成部分が前記側面から突出した位置に保持されているため、新型錠の内部錠機構はその新型錠用キーコード部によって解錠位置に的確に駆動される一方、旧型錠の鍵孔に挿入されるときには、新型錠用キーコード部の形成部分を含めた鍵の全体が前記側面より横断面内に退没させられるため、新型錠用キーコード部は無効化され、別の側面に配置した旧型錠用キーコード部だけが有効に機能して、旧型錠の内部錠機構は解錠位置に的確に駆動される。
【０００８】
このように本発明の鍵は特別の付加操作を必要とすることなく、新型錠と旧型錠に直ちに兼用される鍵であるため、管理対象の機器群が多数個存在している機器管理システムにおいても、管理責任者はこの鍵１本を作業員に渡すだけで足りる。個別の派遣現場に設置されている機器の管理用錠が新型錠であるか旧型錠であるかを事前に確認する必要がなくなり、作業手順が管理略化される。
【発明を実施するための最良の形態】
【０００９】
鍵本体部分と新型錠用キーコード部形成体を金属材料やエンジニアリングプラスチックで製作すれば、使用中の機械的な打撃や歪曲変形に対して強くなる。
【実施例】
【００１０】
図１に示した実施例の兼用型の鍵Ｋ１では、鍵本体１の略矩形状横断面の短辺側の一方の側面１ａに、山谷状の旧型錠用キーコード部２がその長さ方向に鍵本体１と一体に形成加工されている。鍵本体１の略矩形状横断面の短辺側の他方の側面１ｂには、長方形状のガイドスロット３がその長さ方向に形成されている。このガイドスロット３に収容された金属板製の形成体４には、山谷状の新型錠用キーコード部５がその長さ方向に形成加工されている。
【００１１】
図２に拡大して示したように、この形成体４は、形成体４の背面とガイドスロット３の内底面との間に挿入された２本の圧縮コイルバネ６によって、前記側面１ｂから突出するように移動付勢されている。形成体４の両端部に設けた長孔７には、錠本体１に固定した規制ピン８が挿通されており、ガイドスロット３からの形成体４の突出量は、新型錠用キーコード分５が前記側面１ｂから突出するだけのものに限定されている。
形成体４の前側角部には、カム斜面部９が形成されており、このカム斜面部９が鍵孔の前側縁によって押されることによって、形成体４はガイドスロット３内に押し込められる。
【００１２】
図５に示したように旧型錠Ａに専ら使用される鍵Ｋ２には、鍵本体１の略矩形状横断面の短辺側の一方の側面１ａに旧型錠用キーコード部２を一体に形成してある。図１と図２の対比から明らかなように、本発明の鍵Ｋ１の幅寸法ａ２は、旧型錠用鍵Ｋ２の幅寸法ａ１よりも新型錠用キーコード部５の寸法分だけ大きくなっている。
【００１３】
図３に示したように本発明の鍵Ｋ１を旧型錠Ａの回転内筒１０の鍵孔１１に挿入したときには、新型錠用キーコード部５を備えた形成体４は、その全体がガイドスロット３内に押込まれており、先端面が固定外筒１２の内面に当接している。旧型錠用キーコード部２は、コードピン１３の内端を押して、コードピン１３とドライバピン１４をバネ１５に抗して固定外筒１２の外面方向に駆動し、コードピン１３とドライバピン１４の当接点を、回転内筒１０の外周面に移動させている。
【００１４】
図４に示したように本発明の鍵Ｋ１を新型錠Ｂの回転内筒１６の鍵孔１７に挿入するときには、新型錠用キーコード部５を備えた形成体４は、バネ６の付勢によって新型錠用キーコード部５が前記側面１ｂから突出した状態に保持されている。そのため、形成体４の付勢用バネ６は、ピン付勢用バネ２０よりも充分強いものに設定されている。
突出状態にある新型錠用キーコード部５は、コードピン１８の内端を押して、コードピン１８とドライバピン１９をバネ２０に抗して固定外筒２１の外面方向に駆動し、コードピン１８とドライバピン１９の当接点を、回転内筒１６の外周面に移動させている。
【００１５】
図６は旧型錠用の鍵Ｋ２を旧型錠Ａの回転内筒１０の鍵孔１１に挿入した場合であり、旧型錠用キーコード部２は、コードピン１３の内端を押して、コードピン１３とドライバピン１４をバネ１５に抗して固定外筒１２の外面方向に駆動し、コードピン１３とドライバピン１４の当接点を、回転内筒１０の外周面に移動させている。
これに対して、図７は旧型錠用の鍵Ｋ２を新型錠Ｂの回転内筒１６の鍵孔１７に挿入した場合であり、コードピン１８は鍵Ｋ２によっては何ら押されることがなく、コードピン１８とドライバピン１９の当接点は回転内筒１６の外周面には移動していない。ドライバピン１９の内端部が、回転内筒１６のピン孔に入り込んだままであるから、固定外筒２１に対する回転内筒１６の錠止は解除されていない。
【００１６】
このように旧型錠Ａに使用されていた鍵Ｋ２は、新型錠Ｂの鍵孔１７に挿入できないか、挿入できたとしてもコードピン１８を解錠位置へと駆動させることができないものであるから、旧の鍵Ｋ２を別途回収しなくても、新型錠Ｂが管理責任者の与り知らぬところで勝手に解錠されてしまう危険性を確実に排除することができる。
【００１７】
本発明の鍵Ｋ１においては、新型錠用キーコード部５は鍵本体１の横断面輪郭から突き出た形態で付加されるものであるから、新型錠用キーコード部を鍵本体の横断面輪郭より凹ませて付加する場合と比べて、合鍵の無断複製に対して強いものとなる。
なお、新型錠用キーコード部形成体の設置部位は、上記側面１ｂに限定されず、略矩形状断面の長辺側の側面に形成することもできる。また、鍵本体の横断面に湾曲面部を設けたり、鍵本体の横断面の全体を円形や楕円形状に形成することもできる。内部錠機構としては、前記ピンタンブラ錠機構に限定されず、ディスタンブラ錠機構なども使用できる。
【図面の簡単な説明】
【００１８】
【図１】本発明の一実施例に係る鍵の斜視図である。
【図２】図１の鍵の要部縦断面図である。
【図３】図１の鍵を旧型錠に挿入したときの断面図である。
【図４】図１の鍵を新型錠に挿入したときの断面図である。
【図５】旧型錠の鍵の斜視図である。
【図６】図５の鍵を旧型錠に挿入したときの断面図である。
【図７】図５の鍵を新型錠に挿入したときの断面図である。
【符号の説明】
【００１９】
Ｋ１  本発明の鍵
Ｋ２  旧型錠の鍵
１    鍵本体
１ａ  鍵本体の側面
１ｂ  別の側面
２    旧型錠用キーコード部
３    ガイドスロット
４    形成体
５    新型錠用キーコード部
６    形成体付勢用バネ
７    長孔
８    規制ピン
９    カム斜面部
１０  旧型錠の回転内筒
１１  鍵孔
１２  固定外筒
１３  コードピン
１４  ドライバピン
１５  ピン付勢用バネ
１６  新型錠の回転内筒
１７  鍵孔
１８  コードピン
１９  ドライバピン
２０  ピン付勢用バネ
２１  固定外筒
【図１】
2006046008.tif 000003
【図２】
2006046008.tif 000004
【図３】
2006046008.tif 000005
【図４】
2006046008.tif 000006
【図５】
2006046008.tif 000007
【図６】
2006046008.tif 000008
【図７】
2006046008.tif 000009